(57)【要約】  サブ映像と重なって表示可能な原本映像を処理してサブ映像と重ならずに表示されるメイン映像を生成し、メイン映像とサブ映像とを共に表示し、原本映像を保存する映像表示及び保存装置と方法である。該装置は、映像を入力され、入力された映像を利用して表示映像及び保存映像を生成する映像処理部と、映像処理部から表示映像を入力されて表示する表示部と、映像処理部から保存映像を入力されて保存する撮影映像保存部と、映像処理部、表示部及び撮影映像保存部のうち少なくとも一つの動作を制御する制御部とを備える。
2009529283.tif 000002
【特許請求の範囲】
【請求項１】
映像を入力され、入力された映像を利用して表示映像及び保存映像を生成する映像処理部と、
前記映像処理部から前記表示映像を入力されて表示する表示部と、
前記映像処理部から前記保存映像を入力されて保存する撮影映像保存部と、
前記映像処理部、前記表示部及び前記撮影映像保存部のうち少なくとも一つの動作を制御する制御部と、を備えることを特徴とするディスプレイボタンのための映像表示及び保存装置。
【請求項２】
前記映像処理部は、
映像を入力され、入力された映像の色相及びピクセル数のうち少なくとも一つを調整する入力映像処理部と、
前記入力映像処理部から前記調整された映像を入力され、前記調整された映像の縦横比率を変換してメイン映像を生成し、生成されたメイン映像とサブ映像とを合成して前記表示映像を生成する第１表示映像処理部と、
前記入力映像処理部から前記調整された映像を入力され、前記調整された映像を圧縮して前記保存映像を生成する第１保存映像処理部と、を備えることを特徴とする請求項１に記載の映像表示及び保存装置。
【請求項３】
前記制御部は、前記映像表示及び保存装置がプレビューモードによって動作する場合、前記第１表示映像処理部を活性化し、前記映像表示及び保存装置が撮影モードによって動作する場合、前記第１表示映像処理部及び前記第１保存映像処理部を活性化することを特徴とする請求項２に記載の映像表示及び保存装置。
【請求項４】
前記入力映像処理部は、
映像を獲得する映像獲得部と、
前記映像獲得部から前記獲得された映像を入力され、自動露出、自動ホワイトバランス、自動焦点合わせのうち少なくとも一つの動作を通じて前記獲得された映像を処理する色相調整部と、
前記色相調整部から前記処理された映像を入力され、前記処理された映像をＶＧＡ（Ｖｉｄｅｏ  Ｇｒａｐｈｉｃｓ  Ａｒｒａｙ）規格によって変換するピクセル数調整部と、を備えることを特徴とする請求項２に記載の映像表示及び保存装置。
【請求項５】
前記表示部は、前記メイン映像を表示するための主表示領域と、前記サブ映像を表示するためのボタン表示領域と、を備えることを特徴とする請求項２に記載の映像表示及び保存装置。
【請求項６】
前記第１表示映像処理部は、
前記入力映像処理部からＶＧＡ規格によって変換された映像を入力され、前記変換された映像の縦横比率を変換して前記メイン映像を生成するサイズ調整部と、
前記サイズ調整部から前記メイン映像を入力され、前記メイン映像と前記サブ映像とを合成して前記表示映像を生成する表示映像生成部と、を備え、
前記メイン映像の縦横比率は、前記表示映像がＶＧＡ規格によるように前記サブ映像のサイズによって決定されることを特徴とする請求項４に記載の映像表示及び保存装置。
【請求項７】
前記映像処理部は、
映像を入力され、入力された映像の色相及びピクセル数のうち少なくとも一つを調整する入力映像処理部と、
前記入力映像処理部から前記調整された映像を入力され、前記調整された映像の縦横比率を変換してメイン映像を生成し、前記調整された映像のサムネイル映像を生成し、生成されたサムネイル映像及び前記調整された映像のうち少なくとも一つを出力し、前記メイン映像とサブ映像とを合成して前記表示映像を生成する第２表示映像処理部と、
前記第２表示映像処理部から前記サムネイル映像及び前記調整された映像のうち少なくとも一つを入力され、入力された前記サムネイル映像及び前記調整された映像のうち少なくとも一つを圧縮して前記保存映像を生成する第２保存映像処理部と、を備えることを特徴とする請求項１に記載の映像表示及び保存装置。
【請求項８】
前記制御部は、前記映像表示及び保存装置がプレビューモードによって動作する場合、前記第２表示映像処理部を活性化し、前記映像表示及び保存装置が撮影モードによって動作する場合、前記第２表示映像処理部及び前記第２保存映像処理部を活性化することを特徴とする請求項７に記載の映像表示及び保存装置。
【請求項９】
前記入力映像処理部は、
映像を獲得する映像獲得部と、
前記映像獲得部から前記獲得された映像を入力され、自動露出、自動ホワイトバランス、自動焦点合わせのうち少なくとも一つの動作を通じて前記獲得された映像を処理する色相調整部と、
前記色相調整部から前記処理された映像を入力され、前記処理された映像を所定のピクセル数に合わせて変換するピクセル数調整部と、を備えることを特徴とする請求項７に記載の映像表示及び保存装置。
【請求項１０】
前記表示部は、前記メイン映像を表示するための主表示領域と、前記サブ映像を表示するためのボタン表示領域と、を備えることを特徴とする請求項７に記載の映像表示及び保存装置。
【請求項１１】
前記第２表示映像処理部は、
前記入力映像処理部から調整された映像を入力され、前記プレビューモードによって前記調整された映像の縦横比率を変換して前記メイン映像を生成し、生成された前記メイン映像を出力し、前記撮影モードによって前記調整された映像のサムネイル映像を生成し、生成されたサムネイル映像及び前記調整された映像を出力するサイズ調整部と、
前記サイズ調整部から前記メイン映像を入力され、前記メイン映像と前記サブ映像とを合成して前記表示映像を生成する表示映像生成部と、を備えることを特徴とする請求項９に記載の映像表示及び保存装置。
【請求項１２】
前記第２保存映像処理部は、
前記第２表示映像処理部から前記調整された映像と前記サムネイル映像とを入力され、前記調整された映像と前記サムネイル映像とを圧縮して前記保存映像を生成する圧縮部と、
前記圧縮部から前記保存映像を入力されて外部に伝達する入出力インターフェース部と、を備えることを特徴とする請求項７に記載の映像表示及び保存装置。
【請求項１３】
サブ映像と重なって表示可能な原本映像を処理して、前記サブ映像と重ならずに表示されるメイン映像を生成する映像処理部と、
前記メイン映像と前記サブ映像とを共に表示する表示部と、
前記原本映像を保存する撮影映像保存部と、を備えることを特徴とする映像表示及び保存装置。
【請求項１４】
前記映像処理部は、
前記原本映像の表示されるサイズが減少するように前記原本映像を処理して、前記メイン映像を生成するサイズ調整部と、
前記メイン映像と前記サブ映像とを合成し、合成された結果を前記表示部に出力する表示映像生成部と、を備えることを特徴とする請求項１３に記載の映像表示及び保存装置。
【請求項１５】
前記映像処理部は、前記原本映像を圧縮し、圧縮された結果を前記撮影映像保存部に出力する圧縮部をさらに備えることを特徴とする請求項１４に記載の映像表示及び保存装置。
【請求項１６】
前記映像処理部は、前記原本映像のサムネイル映像及び前記メイン映像を生成し、前記撮影映像保存部は、前記原本映像及び前記サムネイル映像を保存することを特徴とする請求項１３に記載の映像表示及び保存装置。
【請求項１７】
前記表示部及び前記撮影映像保存部のうち動作するものは、前記映像表示及び保存装置の動作モードによって決定されることを特徴とする請求項１３に記載の映像表示及び保存装置。
【請求項１８】
前記表示部は、一つのディスプレイパネルを備え、前記メイン映像は、前記ディスプレイパネルの一部領域に表示され、前記サブ映像は、前記ディスプレイパネルの他の一部領域に表示されることを特徴とする請求項１３に記載の映像表示及び保存装置。
【請求項１９】
端末器で行われる映像表示及び保存方法において、
（ａ）映像を入力されるステップと、
（ｂ）前記入力された映像を利用して、表示映像及び保存映像のうち少なくとも一つを生成するステップと、を含むことを特徴とする映像表示及び保存方法。
【請求項２０】
前記（ｂ）ステップは、
（ｂ１）映像を入力され、入力された映像の色相及びピクセル数のうち少なくとも一つを調整するステップと、
（ｂ２）前記端末器がプレビューモードにあるか否かを判断するステップと、
（ｂ３）前記端末器がプレビューモードにあると判断されれば、前記調整された映像の縦横比率を変換してメイン映像を生成し、生成されたメイン映像とサブ映像とを合成して前記表示映像を生成するステップと、を含むことを特徴とする請求項１９に記載の映像表示及び保存方法。
【請求項２１】
前記（ｂ）ステップは、
（ｂ４）前記端末器がプレビューモードにないと判断されれば、前記調整された映像を圧縮して前記保存映像を生成するステップをさらに含むことを特徴とする請求項２０に記載の映像表示及び保存方法。
【請求項２２】
前記（ｂ３）ステップは、
ＶＧＡ規格によって変換された映像を入力され、前記変換された映像の縦横比率を変換して前記メイン映像を生成するステップと、
前記メイン映像を入力され、前記メイン映像と前記サブ映像とを合成して前記表示映像を生成するステップと、を含み、
前記メイン映像の縦横比率は、前記表示映像がＶＧＡ規格によるように前記サブ映像のサイズによって決定されることを特徴とする請求項２０に記載の映像表示及び保存方法。
【請求項２３】
前記（ｂ）ステップは、
（ｂ１）映像を入力され、入力された映像の色相及びピクセル数のうち少なくとも一つを調整するステップと、
（ｂ２）前記調整された映像の縦横比率を変換することによって生成されるメイン映像、及び前記調整された映像のサムネイル映像のうち少なくとも一つを生成するステップと、
（ｂ３）前記端末器がプレビューモードにあるか否かを判断するステップと、
（ｂ４）前記端末器がプレビューモードにあると判断されれば、前記メイン映像とサブ映像とを合成して前記表示映像を生成するステップと、を含むことを特徴とする請求項１９に記載の映像表示及び保存方法。
【請求項２４】
前記（ｂ）ステップは、
（ｂ５）前記端末器がプレビューモードにないと判断されれば、前記調整された映像及び前記サムネイル映像のうち少なくとも一つを圧縮して前記保存映像を生成するステップをさらに含むことを特徴とする請求項２３に記載の映像表示及び保存方法。
【請求項２５】
前記（ｂ４）ステップは、
ＶＧＡ規格によって変換された映像を入力され、前記変換された映像の縦横比率を変換して前記メイン映像を生成するステップと、
前記メイン映像を入力され、前記メイン映像と前記サブ映像とを合成して前記表示映像を生成するステップと、を含み、
前記メイン映像の縦横比率は、前記表示映像がＶＧＡ規格によるように前記サブ映像のサイズによって決定されることを特徴とする請求項２３に記載の映像表示及び保存方法。
【請求項２６】
サブ映像と重なって表示可能な原本映像を処理して、前記サブ映像と重ならずに表示されるメイン映像を生成するステップと、
前記メイン映像と前記サブ映像とを共に表示するステップと、
前記原本映像を保存するステップと、を含むことを特徴とする映像表示及び保存方法。
【請求項２７】
請求項２６に記載の方法をコンピュータで実行させるためのコンピュータプログラムを保存したコンピュータで読み取り可能な記録媒体。
【請求項２８】
端末器で行われる映像表示及び保存方法において、
サブ映像と重なって表示可能な原本映像を処理して、前記サブ映像と重ならずに表示されるメイン映像を生成するステップと、
前記メイン映像と前記サブ映像とを共に表示するステップと、
前記端末器が撮影モードにあるか否かを判断するステップと、
前記端末器が撮影モードにあると判断されれば、前記原本映像を保存するステップと、を含むことを特徴とする映像表示及び保存方法。
【請求項２９】
前記原本映像の処理は、前記原本映像のイメージ特性を変更することを特徴とする請求項２８に記載の映像表示及び保存方法。
【請求項３０】
前記イメージ特性は、縦横比率であることを特徴とする請求項２９に記載の映像表示及び保存方法。
【請求項３１】
端末器で行われる映像表示及び保存方法において、
前記端末器がプレビューモードにあるか、撮影モードにあるかを判断するステップと、
前記端末器がプレビューモードにあると判断されれば、サブ映像と重なって表示可能な原本映像を処理して、前記サブ映像と重ならずに表示されるメイン映像を生成するステップと、
前記端末器が撮影モードにあると判断されれば、前記原本映像のサムネイル映像を生成し、生成されたサムネイル映像及び前記原本映像を保存するステップと、を含むことを特徴とする映像表示及び保存方法。
【請求項３２】
原本映像を利用して、相異なるイメージ特性を有する表示映像と保存映像とを生成する映像処理部と、
前記表示映像を表示する表示部と、
前記保存映像を保存する撮影映像保存部と、を備えることを特徴とする映像表示及び保存装置。
【請求項３３】
前記イメージ特性は、縦横比率であることを特徴とする請求項３２に記載の映像表示及び保存装置。
【発明の詳細な説明】
【技術分野】
【０００１】
本発明は、映像表示及び保存に係り、特に映像の表示及び保存が可能な端末器で行われる映像表示及び保存に関する。
【背景技術】
【０００２】
カムコーダやデジタルカメラのような端末器は、レンズを通じて見られる映像を、端末器に備えられた液晶パネルを通じて表示する。端末器のユーザーは、液晶パネルを観察するうち撮影したい映像を発見でき、この場合、液晶パネルに現在表示されている映像を撮影する。このとき、撮影された映像は、端末器に保存される。
【０００３】
一方、かかる液晶パネルには、レンズを通じて見られる映像だけでなく、端末器の操作を誘導する映像も表示される。例えば、かかる液晶パネルは、端末器のバッテリが不足した場合、それを知らせる標識、ズームインまたはズームアウトを設定するように誘導する文字も表示できる。
【０００４】
一般的に、レンズを通じて見られる映像は、液晶パネルのあらゆる領域に表示される。この場合、端末器の操作を誘導する映像は、そのレンズを通じて見られる映像の一部領域上に重なって表示されるしかない。このように、レンズを通じて見られる映像と端末器の操作を誘導する映像とが重なって表示されるならば、端末器の操作に関心のないユーザーは、かかる現象を目障りに感じうる。
【０００５】
これを防止するために、レンズを通じて見られる映像の表示されるサイズを減らして、レンズを通じて見られる映像と端末器の操作を誘導する映像とを重ねずに表示させる方案が要求されている。一方、従来の端末器が撮影する映像は、液晶パネルに表示される映像のうち、レンズを通じて見られる映像であるので、その新たに要求される方案によれば、端末器が歪曲された映像を撮影する恐れがあるので、それを除去できる方案も共に要求されている実情である。
【発明の開示】
【発明が解決しようとする課題】
【０００６】
本発明が解決しようとする課題は、原本映像とサブ映像とが重なって表示されないように原本映像を処理してメイン映像を生成し、メイン映像とサブ映像とを表示する場合であっても、メイン映像でない原本映像を保存する映像表示及び保存装置と方法を提供するところにある。
【課題を解決するための手段】
【０００７】
前記課題を解決するために、本発明による映像表示及び保存装置は、映像を入力され、入力された映像を利用して表示映像及び保存映像を生成する映像処理部と、前記映像処理部から前記表示映像を入力されて表示する表示部と、前記映像処理部から前記保存映像を入力されて保存する撮影映像保存部と、前記映像処理部、前記表示部及び前記撮影映像保存部のうち少なくとも一つの動作を制御する制御部と、を備えることが望ましい。
【０００８】
前記課題を解決するために、本発明による映像表示及び保存装置は、サブ映像と重なって表示可能な原本映像を処理して、前記サブ映像と重ならずに表示されるメイン映像を生成する映像処理部と、前記メイン映像と前記サブ映像とを共に表示する表示部と、前記原本映像を保存する撮影映像保存部と、を備えることが望ましい。
【０００９】
前記課題を解決するために、端末器で行われる本発明による映像表示及び保存方法は、（ａ）映像を入力されるステップと、（ｂ）前記入力された映像を利用して、表示映像及び保存映像のうち少なくとも一つを生成するステップと、を含むことが望ましい。
【００１０】
前記課題を解決するために、本発明による映像表示及び保存方法は、サブ映像と重なって表示可能な原本映像を処理して、前記サブ映像と重ならずに表示されるメイン映像を生成するステップと、前記メイン映像と前記サブ映像とを共に表示するステップと、前記原本映像を保存するステップと、を含むことが望ましい。
【００１１】
前記課題を解決するために、端末器で行われる本発明による映像表示及び保存方法は、サブ映像と重なって表示可能な原本映像を処理して、前記サブ映像と重ならずに表示されるメイン映像を生成するステップと、前記メイン映像と前記サブ映像とを共に表示するステップと、前記端末器が撮影モードにあるか否かを判断するステップと、前記端末器が撮影モードにあると判断されれば、前記原本映像を保存するステップと、を含むことが望ましい。
【００１２】
前記課題を解決するために、端末器で行われる本発明による映像表示及び保存方法は、前記端末器がプレビューモードにあるか、撮影モードにあるかを判断するステップと、前記端末器がプレビューモードにあると判断されれば、サブ映像と重なって表示可能な原本映像を処理して、前記サブ映像と重ならずに表示されるメイン映像を生成するステップと、前記端末器が撮影モードにあると判断されれば、前記原本映像のサムネイル映像を生成し、生成されたサムネイル映像及び前記原本映像を保存するステップと、を含むことが望ましい。
【００１３】
前記課題を解決するために、本発明による映像表示及び保存装置は、原本映像を利用して、相異なるイメージ特性を有する表示映像と保存映像とを生成する映像処理部と、前記表示映像を表示する表示部と、前記保存映像を保存する撮影映像保存部と、を備えることが望ましい。
【発明の効果】
【００１４】
本発明による映像表示及び保存装置と方法は、レンズを通じて見られる映像の表示されるサイズを減らして、レンズを通じて見られる映像と端末器の操作を誘導する映像とを重ねずに表示させる効果を有する。また、本発明による映像表示及び保存装置と方法は、レンズを通じて見られる映像の表示されるサイズが減ったままで表示されても、歪曲しない映像を撮影、すなわち保存する効果を有する。さらに、本発明による映像表示及び保存装置と方法によれば、原本映像のサムネイル映像を保存でき、自分が撮影した映像のうち特定の映像を検索しようとするユーザーの検索便宜を図ることもできる。
【発明を実施するための最良の形態】
【００１５】
本発明と、本発明の動作上の利点及び本発明の実施によって達成される目的を十分に理解するためには、本発明の望ましい実施形態を例示する添付図面及びその添付図面を説明する内容を参照せねばならない。
【００１６】
以下、本発明による映像表示及び保存装置と方法を、添付した図面を参照して次のように説明する。
【００１７】
図１は、本発明による映像表示及び保存装置を説明するためのブロック図であって、表示部１１０、撮影映像保存部１２０、映像処理部１３０及び制御部１４０を備える。
【００１８】
かかる本発明による映像表示及び保存装置は、カムコーダやデジタルカメラのように映像を表示することもでき、撮影（すなわち、保存）することもできる端末器を意味する。本明細書上で、第１実施形態とは、本発明による映像表示及び保存装置がカムコーダである場合を意味し、第２実施形態とは、本発明による映像表示及び保存装置がデジタルカメラである場合を意味する。
【００１９】
表示部１１０は、一つ以上のディスプレイパネルで具現され、かかるディスプレイパネルを通じて映像を表示する。説明の便宜上、表示部１１０は、一つのディスプレイパネル（横長＝ａ［ｃｍ］、縦長＝ｂ［ｃｍ］、ただし、ａ＞ｂ）で具現されたと仮定する。かかるディスプレイパネルは、主表示領域（図示せず）とボタン表示領域（図示せず）とを備えるが、これに限定されない。図１０Ｂにおいて、識別番号１０００は、ディスプレイパネルを意味し、識別番号１０２５が表す映像が表示された領域は、主表示領域（図示せず）を意味し、識別番号１０３５が表す映像が表示された領域は、ボタン表示領域（図示せず）を意味する。
【００２０】
撮影映像保存部１２０は、撮影された映像を保存する。
【００２１】
映像処理部１３０は、映像を入力され、入力された映像を利用して表示映像及び保存映像のうち少なくとも一つを生成する。
【００２２】
映像処理部１３０は、その生成された表示映像を表示部１１０に出力し、その生成された保存映像を撮影映像保存部１２０に出力する。
【００２３】
さらに具体的に、映像処理部１３０の動作を説明すれば、次の通りである。
【００２４】
映像処理部１３０は、少なくとも一つのレンズと、そのレンズを通じて入射される光を感知するセンサーと、を備える。ＣＣＤ（Ｃｈａｒｇｅ−Ｃｏｕｐｌｅｄ  Ｄｅｖｉｃｅ）センサーのような光電センサーは、かかるセンサーの一例となりうる。これにより、映像処理部１３０は、レンズを通じて見られる映像（以下、原本映像）を獲得する。説明の便宜上、原本映像の横長と縦長との比率（ａ／ｂ）は、ディスプレイパネルの横長と縦長との比率（ａ／ｂ）と同一であり、原本映像は、ディスプレイパネルのあらゆる領域に表示されると仮定する。
【００２５】
映像処理部１３０は、サブ映像と重なって表示可能な原本映像を処理して、サブ映像と重ならずに表示されるメイン映像を生成する。
【００２６】
ここで、サブ映像とは、本発明による映像表示及び保存装置の操作を誘導する映像を意味する。ズームインまたはズームアウトを設定するように誘導する文字、フラッシュのオン／オフ如何を設定するように誘導する文字、シャッタの開閉程度を設定するように誘導する文字、本発明による映像表示及び保存装置に備えられたバッテリの残量を表す数字のうち少なくとも一つは、サブ映像の一例である。表示部１１０は、サブ映像を常に表示することもでき、ユーザーが所望する場合にのみ表示することもできる。ディスプレイパネル上でサブ映像が表示されるサイズは、サブ映像の内容によって変わりうる。例えば、サブ映像が“バッテリが不足します”という文章ならば、サブ映像は、ディスプレイパネルの半分（横長＝ａ／２［ｃｍ］、縦長＝ｂ［ｃｍ］）にわたって表示され、サブ映像がバッテリの残量を表す数字ならば、サブ映像は、ディスプレイパネルの１／４領域（横長＝ａ／２［ｃｍ］、縦長＝ｂ／２［ｃｍ］）に表示され、サブ映像がズームインまたはズームアウトを設定するように誘導する文字、フラッシュのオン／オフ如何を設定するように誘導する文字、シャッタの開閉程度を設定するように誘導する文字で構成されるならば、サブ映像は、ディスプレイパネルの１／４領域（横長＝ａ／４［ｃｍ］、縦長＝ｂ［ｃｍ］）に表示される。もちろん、ディスプレイパネル上でサブ映像が表示されるサイズがサブ映像の内容に関係なく一定であることもある。サブ映像は、ディスプレイパネル上で上側、下側、左側、右側または中央に表示される。
【００２７】
前述したように、原本映像がディスプレイパネルのあらゆる領域に表示されるならば、原本映像とサブ映像とは重なって表示されるしかない。この場合、本発明による映像表示及び保存装置の操作に関心のないユーザー、特に表示される原本映像に心酔しているユーザーは、このように重なって表示されるサブ映像に不快でありうる。これを防止するために、映像処理部１３０は、原本映像の表示されるサイズが減少するように原本映像を処理することによって、サブ映像と重ならずに表示されるメイン映像を生成する。このとき、映像処理部１３０は、サブ映像の表示されるサイズを考慮することが望ましい。例えば、原本映像の表示されるサイズは、“横長＝ａ［ｃｍ］、縦長＝ｂ［ｃｍ］”であり、サブ映像の表示されるサイズは、“横長＝ａ／４［ｃｍ］、縦長＝ｂ［ｃｍ］”であれば、映像処理部１３０は、表示されるサイズが“横長＝３ａ／４［ｃｍ］、縦長＝ｂ［ｃｍ］”であるメイン映像を生成できる。この場合、メイン映像は、原本映像を横方向に歪めた結果となる。
【００２８】
このように、映像処理部１３０でメイン映像が生成されれば、表示部１１０は、メイン映像とサブ映像とを共に表示する。たとえ、メイン映像が歪曲された原本映像であるとしても、ユーザーは、原本映像が表すところをメイン映像を観察して認知できる。
【００２９】
このように表示部１１０がメイン映像とサブ映像とを共に表示している中で、ユーザーが撮影しようとする原本映像を発見し、本発明による映像表示及び保存装置に撮影を指示すれば、撮影映像保存部１２０は、メイン映像でない原本映像を保存する。
【００３０】
制御部１４０は、表示部１１０、撮影映像保存部１２０及び映像処理部１３０のうち少なくとも一つの動作を制御する。例えば、本発明による映像表示及び保存装置がプレビューモードにあれば、制御部１４０は、映像処理部１３０が表示映像を生成するように指示し、表示部１１０が動作することを指示する。同様に、本発明による映像表示及び保存装置が撮影モードにあれば、制御部１４０は、映像処理部１３０が表示映像及び保存映像を生成するように指示し、表示部１１０及び撮影映像保存部１２０が動作することを指示する。
【００３１】
図２は、図１に示した映像処理部１３０を説明するための第１実施形態１３０Ａのブロック図であって、入力映像処理部２１０、第１表示映像処理部２２０及び第１保存映像処理部２３０を備える。
【００３２】
入力映像処理部２１０は、映像を入力され、入力された映像の色相及びピクセル数のうち少なくとも一つを調整し、調整された映像を第１表示映像処理部２２０及び第１保存映像処理部２３０に出力する。
【００３３】
第１表示映像処理部２２０は、入力映像処理部２１０からその調整された映像を入力され、その調整された映像の縦横比率を変換してメイン映像を生成し、生成されたメイン映像とサブ映像とを合成して表示映像を生成し、生成された表示映像を、出力端子ＯＵＴ１を通じて表示部１１０に出力する。この場合、表示映像のうちメイン映像は、ディスプレイパネルの主表示領域（図示せず）に表示され、表示映像のうちサブ映像は、ディスプレイパネルのボタン表示領域（図示せず）に表示されるが、これに限定されるものではない。
【００３４】
第１保存映像処理部２３０は、入力映像処理部２１０からその調整された映像を入力され、その調整された映像を圧縮符号化して保存映像を生成し、生成された保存映像を、出力端子ＯＵＴ２を通じて撮影映像保存部１２０に出力する。
【００３５】
一方、本発明による映像表示及び保存装置がプレビューモードにあれば、入力映像処理部２１０、第１表示映像処理部２２０及び表示部１１０が動作することが望ましく、本発明による映像表示及び保存装置が撮影モードにあれば、入力映像処理部２１０、第１表示映像処理部２２０、第１保存映像処理部２３０、表示部１１０及び撮影映像保存部１２０が動作することが望ましい。
【００３６】
図３は、図２に示した入力映像処理部２１０を説明するための細部ブロック図であって、映像獲得部３１０、色相調整部３２０及びピクセル数調整部３３０を備える。
【００３７】
映像獲得部３１０は、少なくとも一つのレンズと、そのレンズを通じて入射される光を感知するセンサーと、を備えることが望ましい。ＣＣＤのような光電センサーは、かかるセンサーの一例である。これにより、映像獲得部３１０は、原本映像を獲得する。
【００３８】
色相調整部３２０は、映像獲得部３１０から入力される原本映像の色相を調整する。具体的に、色相調整部３２０は、映像獲得部３１０から入力される原本映像に対して自動露出、自動ホワイトバランス、自動焦点合わせ、色調及び色感処理のうち少なくとも一つの動作を行う。ここで、色相調整部３２０は、原本映像に対してストリームの形式で入出力を行うが、これに限定されない。
【００３９】
ピクセル数調整部３３０は、色相調整部３２０により色相が調整された原本映像をなすピクセルの個数を調整し、調整された結果を、出力端子ＯＵＴ３を通じて第１表示映像処理部２２０に出力するか、または出力端子ＯＵＴ４を通じて第１保存映像処理部２３０に出力する。例えば、ピクセル数調整部３３０は、色相が調整された原本映像をＶＧＡ（Ｖｉｄｅｏ  Ｇｒａｐｈｉｃｓ  Ａｒｒａｙ）規格（６４０＊４８０ピクセル（横方向に６４０個のピクセル、縦方向に４８０個のピクセル））に合わせて変更できる。一方、ピクセル数調整部３３０は、色相の調整された原本映像をなすピクセルの個数を、本発明による映像表示及び保存装置の動作モードごとに異なって調整できる。また、ピクセル数調整部３３０は、ピクセル数が調整された結果を撮影映像保存部１２０のうち第１映像メモリ（図示せず）に出力し、第１映像メモリは、その調整された結果を保存することもできる。
【００４０】
一方、入力映像処理部２１０には、色相調整部３２０及びピクセル数調整部３３０のうち少なくとも一つは設けられない。説明の便宜上、図４についての説明では、入力映像処理部２１０に色相調整部３２０及びピクセル数調整部３３０がいずれも設けられなかったと仮定する。この場合、出力端子ＯＵＴ３を通じて第１表示映像処理部２２０に出力される映像は原本映像であり、出力端子ＯＵＴ４を通じて第１保存映像処理部２３０に出力される映像も原本映像である。
【００４１】
図４は、図２に示した第１表示映像処理部２２０及び第１保存映像処理部２３０を説明するための細部ブロック図であって、サブ映像保存部４１０、サブ映像読み取り部４１２、サイズ調整部４１４、表示映像生成部４１６及び圧縮部４１８を備える。
【００４２】
サブ映像保存部４１０ないし表示映像生成部４１６は、第１表示映像処理部２２０の細部ブロックであり、圧縮部４１８は、第１保存映像処理部２３０の細部ブロックである。
【００４３】
サブ映像保存部４１０は、表示部１１０が表示可能な各種のサブ映像を保存する。本発明による映像表示及び保存装置には、複数のキーが設けられ、ユーザーは、そのキーを操作できる。この場合、表示部１１０に表示されるサブ映像は、キーの操作された結果によって変わる。すなわち、サブ映像保存部４１０は、キーの操作された結果別にサブ映像を保存し、サブ映像読み取り部４１２は、キーの操作された結果に相応するサブ映像をサブ映像保存部４１０から読み取り、読み取られたサブ映像を表示映像生成部４１６に出力する。一方、サブ映像読み取り部４１２は、キーの操作がないことにもかかわらず、サブ映像をサブ映像保存部４１０から読み取ることもできる。例えば、何らのキーの操作がないとしても、本発明による映像表示及び保存装置に備えられたバッテリの残量が不足すれば、サブ映像読み取り部４１２は、“バッテリが不足します”という文章のサブ映像をサブ映像保存部４１０から読み取り、読み取られたサブ映像を表示映像生成部４１６に出力できる。また、サブ映像読み取り部４１２は、その読み取られたサブ映像を撮影映像保存部１２０のうち副画面メモリ（図示せず）に出力し、副画面メモリは、その読み取られたサブ映像を保存することもできる。
【００４４】
サイズ調整部４１４は、入力端子ＩＮ１を通じて入力される原本映像のディスプレイパネル上での表示されるサイズが調整されるように、原本映像を処理してメイン映像を生成し、生成されたメイン映像を表示映像生成部４１６に出力する。ここで、入力端子ＩＮ１は、図３に示した出力端子ＯＵＴ３と同一である。
【００４５】
サイズ調整部４１４は、キーの操作された結果に相応して読み取られたサブ映像のディスプレイパネル上での表示されるサイズを考慮することが望ましい。もし、サブ映像のディスプレイパネル上での表示されるサイズがサブ映像の内容に関係なく常に一定であれば、サイズ調整部４１４は、原本映像のディスプレイパネル上での表示されるサイズを常に一定なサイズに調整する。一方、サブ映像のディスプレイパネル上での表示されるサイズがサブ映像の内容によって変われば、サブ映像保存部４１０は、キーの操作された結果別に‘サブ映像’と‘サブ映像のディスプレイパネル上での表示されるサイズに関する情報’とを保存し、サイズ調整部４１４は、キーの操作された結果に相応する‘サブ映像のディスプレイパネル上で表示されるサイズに関する情報’を読み取り、読み取られた情報を利用してメイン映像を生成する。かかるサイズ調整部４１４は、生成されたメイン映像を撮影映像保存部１２０のうちビデオメモリ（図示せず）に出力し、ビデオメモリは、そのメイン映像を保存することもできる。一方、サイズ調整部４１４は、バイキュービック、バイリニア、ニアレストのような多様な補間アルゴリズムを使用できるが、これらに限定されない。
【００４６】
表示映像生成部４１６は、サイズ調整部４１４で生成されたメイン映像と、サブ映像読み取り部４１２から読み取られたサブ映像とを合成して表示映像を生成し、生成された表示映像を、出力端子ＯＵＴ５を通じて表示部１１０に出力する。表示部１１０は、表示映像をディスプレイパネル上に表示し、これにより、ディスプレイパネル上には、メイン映像とサブ映像とが共に表示される。ここで、メイン映像の表示されるサイズは、表示映像がＶＧＡ規格によるようにサブ映像の表示されるサイズによって決定されることが望ましいが、これに制限されない。例えば、表示映像の縦横比率は１６：９であり、メイン映像の縦横比率は４：３でありうる。また、表示映像生成部４１６は、ビデオメモリ（図示せず）からメイン映像を入力され、副画面メモリ（図示せず）からサブ映像を入力され、入力されたメイン映像とサブ映像とを合成して表示映像を生成することもできるが、これに制限されない。
【００４７】
圧縮部４１８は、入力端子ＩＮ２を通じて入力された原本映像を圧縮符号化して保存映像を生成し、生成された保存映像を、出力端子ＯＵＴ６を通じて撮影映像保存部１２０に出力する。撮影映像保存部１２０は、保存映像を保存する。ここで、入力端子ＩＮ２は、図３に示した出力端子ＯＵＴ４と同一である。一方、圧縮部４１８は、本発明による映像表示及び保存装置に設けられないこともある。この場合、撮影映像保存部１２０は、入力端子ＩＮ２を通じて入力された原本映像を保存する。
【００４８】
本発明の第１実施形態による映像表示及び保存装置は、プレビューモードにあってもよく、撮影モードにあってもよい。もし、映像表示及び保存装置がプレビューモードにあれば、表示部１１０ないし映像処理部１３０のうち、圧縮部４１８と撮影映像保存部１２０とが動作しないことが望ましい。これに対し、映像表示及び保存装置が撮影モードにあれば、表示部１１０ないし映像処理部１３０がいずれも動作することが望ましい。
【００４９】
図５は、図１に示した映像処理部１３０を説明するための第２実施形態１３０Ｂのブロック図であって、入力映像処理部５１０、第２表示映像処理部５２０及び第２保存映像処理部５３０を備える。
【００５０】
入力映像処理部５１０は、映像を入力され、入力された映像の色相及びピクセル数のうち少なくとも一つを調整し、調整された映像を第２表示映像処理部５２０に出力する。
【００５１】
第２表示映像処理部５２０は、入力映像処理部５１０から調整された映像を入力され、その調整された映像の縦横比率を変換してメイン映像を生成し、メイン映像とサブ映像とを合成して表示映像を生成し、生成された表示映像を、出力端子ＯＵＴ７を通じて表示部１１０に出力する。この場合、表示映像のうちメイン映像は、ディスプレイパネルの主表示領域（図示せず）に表示され、表示映像のうちサブ映像は、ディスプレイパネルのボタン表示領域（図示せず）に表示されるが、これに限定されるものではない。
【００５２】
また、第２表示映像処理部５２０は、入力映像処理部５１０から調整された映像を入力され、その調整された映像のサムネイル映像を生成し、生成されたサムネイル映像及びその調整された映像のうち少なくとも一つを第２保存映像処理部５３０に出力することもできる。
【００５３】
第２保存映像処理部５３０は、第２表示映像処理部５２０からその調整された映像及びサムネイル映像のうち少なくとも一つを入力され、その調整された映像及びサムネイル映像のうち少なくとも一つを圧縮符号化して保存映像を生成し、生成された保存映像を、出力端子ＯＵＴ８を通じて撮影映像保存部１２０に出力する。
【００５４】
一方、本発明による映像表示及び保存装置がプレビューモードにあれば、入力映像処理部５１０、第２表示映像処理部５２０及び表示部１１０が動作することが望ましく、本発明による映像表示及び保存装置が撮影モードにあれば、入力映像処理部５１０、第２表示映像処理部５２０、第２保存映像処理部５３０、表示部１１０及び撮影映像保存部１２０が動作することが望ましい。すなわち、本発明による映像表示及び保存装置がプレビューモードにあれば、獲得された原本映像が縦横比率が変換されて表示部１２０に表示されるだけであり、保存動作は行われない一方、本発明による映像表示及び保存装置が撮影モードにあれば、獲得された原本映像が表示部１２０に表示されると共に撮影映像保存部１２０にも保存される。
【００５５】
図６は、図５に示した入力映像処理部５１０を説明するための細部ブロック図であって、映像獲得部６１０、色相調整部６２０及びピクセル数調整部６３０を備える。
【００５６】
映像獲得部６１０は、少なくとも一つのレンズと、そのレンズを通じて入射される光を感知するセンサーと、を備えることが望ましい。ＣＣＤのような光電センサーは、かかるセンサーの一例である。これにより、映像獲得部６１０は、原本映像を獲得する。
【００５７】
色相調整部６２０は、映像獲得部６１０から入力される原本映像の色相を調整する。具体的に、色相調整部６２０は、映像獲得部６１０から入力される原本映像に対して自動露出、自動ホワイトバランス、自動焦点合わせ、色調及び色感処理のうち少なくとも一つの動作を行う。ここで、色相調整部６２０は、原本映像に対してストリームの形式で入出力を行うが、これに限定されない。
【００５８】
ピクセル数調整部６３０は、色相調整部６２０により色相が調整された原本映像をなすピクセルの個数を調整し、調整された結果を、出力端子ＯＵＴ９を通じて第２表示映像処理部５２０に出力する。例えば、ピクセル数調整部６３０は、色相が調整された原本映像をＶＧＡ規格（６４０＊４８０ピクセル（横方向に６４０個のピクセル、縦方向に４８０個のピクセル））に合わせて変更できる。一方、ピクセル数調整部６３０は、色相の調整された原本映像をなすピクセルの個数を、本発明による映像表示及び保存装置の動作モードごとに異なって調整できる。また、ピクセル数調整部６３０は、ピクセル数が調整された結果を撮影映像保存部１２０のうち第１映像メモリ（図示せず）に出力し、第１映像メモリは、その調整された結果を保存することもできる。
【００５９】
一方、入力映像処理部５１０には、色相調整部６２０及びピクセル数調整部６３０のうち少なくとも一つは設けられない。説明の便宜上、図７ないし図９についての説明では、入力映像処理部５１０に色相調整部６２０及びピクセル数調整部６３０がいずれも設けられていないと仮定する。この場合、出力端子ＯＵＴ９を通じて第２表示映像処理部５２０に出力される映像は原本映像である。
【００６０】
図７は、図５に示した第２表示映像処理部５２０を説明するための細部ブロック図であって、サブ映像保存部７１０、サブ映像読み取り部７１２、サイズ調整部７１４及び表示映像生成部７１６を備える。
【００６１】
サブ映像保存部７１０及びサブ映像読み取り部７１２は、図４に示したサブ映像保存部４１０及びサブ映像読み取り部４１２と同一であるので、これについての説明は省略する。
【００６２】
一方、本発明の第２実施形態による映像表示及び保存装置も、プレビューモードにあってもよく、撮影モードにあってもよい。
【００６３】
映像表示及び保存装置がプレビューモードにあるか、撮影モードにあるかに関係なく、サイズ調整部７１４は、入力端子ＩＮ３を通じて入力される原本映像のディスプレイパネル上での表示されるサイズが調整されるように、原本映像を処理してメイン映像を生成し、生成されたメイン映像を表示映像生成部７１６に出力できる。このとき、サイズ調整部７１４は、キーの操作された結果に相応して読み取られたサブ映像のディスプレイパネル上での表示されるサイズを考慮することが望ましい。もし、サブ映像のディスプレイパネル上での表示されるサイズがサブ映像の内容に関係なく常に一定であれば、サイズ調整部７１４は、原本映像のディスプレイパネル上での表示されるサイズを常に一定なサイズに調整する。一方、サブ映像のディスプレイパネル上での表示されるサイズがサブ映像の内容によって変われば、サブ映像保存部７１０は、キーの操作された結果別に‘サブ映像’と‘サブ映像のディスプレイパネル上で表示されるサイズに関する情報’とを保存し、サイズ調整部７１４は、キーの操作された結果に相応する‘サブ映像のディスプレイパネル上で表示されるサイズに関する情報’を読み取り、読み取られた情報を利用してメイン映像を生成する。
【００６４】
一方、映像表示及び保存装置が撮影モードにあれば、すなわち、ユーザーが映像表示及び保存装置に撮影を指示すれば、サイズ調整部７１４は、撮影を指示される当時に入力端子ＩＮ３を通じて入力される原本映像のサムネイル映像を生成し、生成されたサムネイル映像及び原本映像のうち少なくとも一つを出力する。
【００６５】
かかるサイズ調整部７１４は、生成されたメイン映像、生成されたサムネイル映像、原本映像を撮影映像保存部１２０のうちビデオメモリ（図示せず）に出力し、ビデオメモリは、入力されたメイン映像、サムネイル映像、原本映像を保存できる。これと同様に、サイズ調整部７１４は、原本映像を撮影映像保存部１２０のうち第２映像メモリ（図示せず）に出力し、第２映像メモリは、入力された原本映像を保存することもできる。また、サイズ調整部７１４は、バイキュービック、バイリニア、ニアレストのような多様な補間アルゴリズムを使用できるが、これらに限定されない。
【００６６】
映像表示及び保存装置がプレビューモードにあるか、撮影モードにあるかに関係なく、表示映像生成部７１６は、サイズ調整部７１４で生成されたメイン映像と、サブ映像読み取り部７１２から読み取られたサブ映像とを合成して表示映像を生成し、生成された表示映像を、出力端子ＯＵＴ１０を通じて表示部１１０に出力する。表示部１１０は、表示映像をディスプレイパネル上に表示し、これにより、ディスプレイパネル上には、メイン映像とサブ映像とが共に表示される。かかる表示映像生成部７１６は、本発明による映像表示及び保存装置が撮影モードにある場合に動作しないこともあるが、これに制限されない。また、表示映像生成部７１６は、ビデオメモリ（図示せず）からメイン映像を入力され、副画面メモリ（図示せず）からサブ映像を入力され、入力されたメイン映像とサブ映像とを合成して表示映像を生成することもできるが、これに制限されない。
【００６７】
結局、本発明の第２実施形態は、次のように説明する。
【００６８】
図１及び図７に示すように、まず、本発明による映像表示及び保存装置がプレビューモードによって動作する場合には、サイズ調整部７１４がメイン映像を生成し、撮影映像保存部１２０内のビデオメモリ（図示せず）は、その生成されたメイン映像を保存する。次いで、制御部１４０は、表示映像生成部７１６がその保存されたメイン映像とサブ映像とを利用して表示映像を生成することを表示映像生成部７１６に指示し、表示部１１０がその表示映像を表示することを表示部１１０に指示する。
【００６９】
また、本発明による映像表示及び保存装置が撮影モードによって動作する場合には、サイズ調整部７１４がメイン映像を生成し、撮影映像保存部１２０は、原本映像及びサムネイル映像のうち少なくとも一つを保存する。かかるサイズ調整部７１４及び撮影映像保存部１２０の動作も、制御部１４０の制御による。
【００７０】
図８は、図５に示した第２保存映像処理部５３０を説明するための第１実施形態５３０Ａのブロック図であって、圧縮部８１０を備える。
【００７１】
第２保存映像処理部５３０内に装着された圧縮部８１０は、制御部１４０により活性化されれば、第２表示映像処理部５２０から“サムネイル映像及び原本映像のうち少なくとも一つ”を、入力端子ＩＮ４を通じて入力され、入力された“サムネイル映像及び原本映像のうち少なくとも一つ”を圧縮符号化して保存映像を生成し、生成された保存映像を、出力端子ＯＵＴ１１を通じて撮影映像保存部１２０に出力する。ここで、圧縮部８１０は、サムネイル映像及び原本映像をそれぞれ独立した領域のメモリ（図示せず）から読み取るが、これに限定されない。
【００７２】
図９は、図５に示した第２保存映像処理部５３０を説明するための第２実施形態５３０Ｂのブロック図であって、圧縮部９１０及び入出力インターフェース部９２０を備える。
【００７３】
第２保存映像処理部５３０内に装着された圧縮部９１０は、制御部１４０により活性化されれば、第２表示映像処理部５２０から“サムネイル映像及び原本映像のうち少なくとも一つ”を、入力端子ＩＮ４を通じて入力され、入力された“サムネイル映像及び原本映像のうち少なくとも一つ”を圧縮符号化して保存映像を生成し、生成された保存映像を入出力インターフェース部９２０に出力する。ここで、圧縮部９１０は、サムネイル映像及び原本映像をそれぞれ独立した領域のメモリ（図示せず）から読み取るが、これに限定されない。このとき、原本映像は、ＱＶＧＡ（３２０＊２４０ピクセル（横方向に３２０個のピクセル、縦方向に２４０個のピクセル））規格による映像であるが、これに限定されない。
【００７４】
また、第２保存映像処理部５３０内に装着された入出力インターフェース部９２０は、圧縮部９１０から保存映像を入力されて外部ＰＣ（Ｐｅｒｓｏｎａｌ  Ｃｏｍｐｕｔｅｒ）に伝達する役割を行う。ここで、入出力インターフェース部９２０は、保存映像を３０ｆｐｓ（ｆｒａｍｅｓ  ｐｅｒ  ｓｅｃｏｎｄ）ＱＶＧＡストリームの形式で伝達できるが、これに限定されない。
【００７５】
図９を参照して、本発明による映像表示及び保存装置とある外部装置との間のインターフェース動作を説明すれば、次の通りである。
【００７６】
まず、本発明による映像表示及び保存装置が入出力インターフェース部９２０（例えば、ＵＳＢ（Ｕｎｉｖｅｒｓａｌ  Ｓｅｒｉａｌ  Ｂｕｓ）インターフェース）を通じて外部ＰＣなどと連結されれば、サイズ調整部７１４がＰＣのカムコーダで撮影される映像の縦横比率に合わせて比率を変換した映像を撮影映像保存部１２０内のイメージメモリ（図示せず）に保存し、圧縮部９１０は、その保存された映像を圧縮符号化し、入出力インターフェース部９２０は、その圧縮符号化された映像を、出力端子ＯＵＴ１２を通じてＰＣに出力する。
【００７７】
図１０Ａ及び図１０Ｂは、ディスプレイパネル、原本映像、メイン映像、サブ映像を説明するための参考図である。具体的に、図１０Ａは、ディスプレイパネル１０００に表示された原本映像１０１０の一例を示し、図１０Ｂは、ディスプレイパネル１０００の一部領域１０２５に表示されたメイン映像１０２０、及び他の一部領域１０３５に表示されたサブ映像１０３０の一例を示す。
【００７８】
図１０Ａ及び図１０Ｂにおいて、サブ映像１０３０は、ズームインまたはズームアウトを設定するように誘導する文字、フラッシュのオン／オフ如何を設定するように誘導する文字、シャッタの開閉程度を設定するように誘導する文字、本発明による映像表示及び保存装置に備えられたバッテリの残量を表す数字からなる。
【００７９】
図１１は、本発明による映像表示及び保存方法を概括的に説明するためのフローチャートである。
【００８０】
図１及び図１１に示すように、映像処理部１３０は、制御部１４０の制御によって映像を入力される（ステップ１１１０）。ここで、入力される映像は、動画、写真などがあるが、これらに限定されない。
【００８１】
次いで、映像処理部１３０は、入力された映像を利用して表示映像及び保存映像のうち少なくとも一つを生成し、表示映像は、表示部１１０を通じて表示され、保存映像は、撮影映像保存部１２０に保存される（ステップ１１２０）。
【００８２】
図１２は、本発明による映像表示及び保存方法を細部的に説明するための第１実施形態のフローチャートであって、原本映像とサブ映像とが重なって表示されないように原本映像を処理してメイン映像を生成し、メイン映像とサブ映像とを表示する場合であっても、メイン映像でない原本映像を保存するステップ（ステップ１２１０ないし１２３０）から構成される。
【００８３】
図１及び図１２に示すように、映像処理部１３０は、原本映像の表示されるサイズが減少するように原本映像を処理してメイン映像を生成し、表示部１１０は、その生成されたメイン映像とサブ映像とを共に表示する（ステップ１２１０）。
【００８４】
ステップ１２１０後に、制御部１４０は、本発明による映像表示及び保存装置がプレビューモードにあるか、撮影モードにあるかを判断する（ステップ１２２０）。ステップ１２２０で撮影モードであると判断されれば、映像処理部１３０は、原本映像を圧縮して保存映像を生成し、撮影映像保存部１２０は、保存映像を保存する（ステップ１２３０）。一方、ステップ１２２０でプレビューモードであると判断されれば、ステップ１２３０が行われない。
【００８５】
かかる第１実施形態をさらに具体的に説明すれば、次の通りである。
【００８６】
まず、映像処理部１３０は、映像を入力され、入力された映像を所定のサイズに変換する（サイズ変換ステップ）。ここで、入力された映像が動画である場合、動画をＶＧＡ規格に合わせて変換でき、入力された映像が写真である場合、入力された写真（例えば、５Ｍ画素のサイズ）をユーザーが指定したピクセル数に変換できるが、これに限定されない。
【００８７】
次いで、制御部１４０は、ユーザーなどが選択したモードがプレビューモードであるか否かを判定する。ここで、プレビューモード及び撮影モードが一例として挙げられるが、これらに限定されず、多様なモードを適用できる。
【００８８】
ユーザーなどが選択したモードがプレビューモードである場合、映像処理部１３０は、サイズ変換ステップで変換された映像の縦横比率を変換してメイン映像を生成し、生成されたメイン映像とサブ映像とを合成して表示映像を生成し、表示映像を表示部１１０に出力する。
【００８９】
一方、ユーザーなどが選択したモードが撮影モードである場合、映像処理部１３０は、サイズ変換ステップで変換された映像を圧縮符号化して保存映像を生成した後、サイズ変換ステップで変換された映像の縦横比率を変換してメイン映像を生成し、生成されたメイン映像とサブ映像とを合成して表示映像を生成する。ここで、保存映像は、撮影映像保存部１２０に出力されて保存される。
【００９０】
具体的に、映像処理部１３０は、ＶＧＡ規格によって変換された映像を入力され、変換された映像の縦横比率を変換してメイン映像を生成する。ここで、ＶＧＡ規格によって変換された映像は、撮影映像保存部１２０のうち第１映像メモリ（図示せず）に出力して保存されることもある。
【００９１】
次いで、映像処理部１３０は、サブ映像を読み取る。ここで、その読み取られたサブ映像は、撮影映像保存部１２０のうち副画面メモリ（図示せず）に出力されて保存されることもある。
【００９２】
次いで、映像処理部１３０は、メイン映像とサブ映像とを合成して表示映像を生成する。ここで、メイン映像は、表示映像がＶＧＡ規格または任意の設定された標準によるようにサブ映像のサイズによって変換比率が決定されることが望ましいが、これに限定されない。また、映像処理部１３０は、制御部１４０の制御によってビデオメモリ（図示せず）からメイン映像を入力され、副画面メモリ（図示せず）からサブ映像を入力されることもできるが、これに限定されない。
【００９３】
図１３は、本発明による映像表示及び保存方法を細部的に説明するための第２実施形態のフローチャートであって、原本映像とサブ映像とが重なって表示されないように原本映像を処理してメイン映像を生成し、メイン映像とサブ映像とを表示する場合であっても、メイン映像でない原本映像を保存するステップ（ステップ１３１０ないし１３４０）から構成される。
【００９４】
図１及び図１３に示すように、制御部１４０は、本発明による映像表示及び保存装置がプレビューモードにあるか、撮影モードにあるかを判断する（ステップ１３１０）。
【００９５】
ステップ１３１０でプレビューモードであると判断されれば、映像処理部１３０は、原本映像の表示されるサイズが減少するように原本映像を処理してメイン映像を生成し、表示部１１０は、その生成されたメイン映像とサブ映像とを共に表示する（ステップ１３２０）。
【００９６】
一方、ステップ１３１０で撮影モードであると判断されれば、映像処理部１３０は、原本映像のサムネイル映像を生成する（ステップ１３３０）。ステップ１３３０後に、映像処理部１３０は、原本映像とステップ１３３０で生成されたサムネイル映像とを圧縮して保存映像を生成し、撮影映像保存部１２０は、保存映像を保存する（ステップ１３４０）。
【００９７】
本発明による映像表示及び保存装置が撮影モードにある場合、ステップ１３２０は、図示したように行われないこともあり、図示したことと異なって行われることもある。
【００９８】
かかる第２実施形態をさらに具体的に説明すれば、次の通りである。
【００９９】
まず、映像処理部１３０は、映像を入力され、入力された映像を所定のサイズに変換する（サイズ変換ステップ）。ここで、入力された映像が動画である場合、動画をＶＧＡ規格に合わせて変換でき、入力された映像が写真である場合、入力された写真（例えば、５Ｍ画素のサイズ）をユーザーが指定したピクセル数に変換できるが、これに限定されない。
【０１００】
次いで、映像処理部１３０は、サイズ変換ステップで変換された映像の縦横比率を変換してメイン映像を生成することもでき、原本映像のサムネイル映像を生成することもできる。この場合、撮影映像保存部１２０のうちビデオメモリ（図示せず）は、メイン映像、原本映像、サムネイル映像のうち少なくとも一つを保存できる。特に、原本映像は、第２映像メモリ（図示せず）に保存されることもある。
【０１０１】
次いで、制御部１４０は、ユーザーなどが選択したモードがプレビューモードであるか否かを判定する。ここで、プレビューモード及び撮影モードが一例として挙げられるが、これらに限定されず、多様なモードを適用できる。
【０１０２】
ユーザーなどが選択したモードがプレビューモードである場合、映像処理部１３０は、メイン映像を生成し、メイン映像及びサブ映像を合成して表示映像を生成し、表示映像を表示部１１０に出力する。
【０１０３】
一方、ユーザーなどが選択したモードが撮影モードである場合、映像処理部１３０は、原本映像及びサムネイル映像のうち少なくとも一つを圧縮符号化して保存映像を生成した後、原本映像の縦横比率を変換してメイン映像を生成し、生成されたメイン映像とサブ映像とを合成して表示映像を生成する。ここで、保存映像は、撮影映像保存部１２０に出力されて保存される。
【０１０４】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【０１０５】
以上、図面と明細書で最適の実施形態が開示された。ここで、特定の用語が使われたが、これは単に本発明を説明するための目的で使われたものであり、意味限定や特許請求の範囲に記載された本発明の範囲を制限するために使われたものではない。したがって、当業者ならば、これから多様な変形及び均等な他の実施形態が可能であるという点を理解できるであろう。したがって、本発明の真の技術的な保護範囲は、特許請求の範囲の技術的思想により決まらねばならない。
【図面の簡単な説明】
【０１０６】
【図１】本発明による映像表示及び保存装置を説明するためのブロック図である。
【図２】図１に示した映像処理部を説明するための第１実施形態のブロック図である。
【図３】図２に示した入力映像処理部を説明するための細部ブロック図である。
【図４】図２に示した第１表示映像処理部及び第１保存映像処理部を説明するための細部ブロック図である。
【図５】図１に示した映像処理部を説明するための第２実施形態のブロック図である。
【図６】図５に示した入力映像処理部を説明するための細部ブロック図である。
【図７】図５に示した第２表示映像処理部を説明するための細部ブロック図である。
【図８】図５に示した第２保存映像処理部を説明するための第１実施形態のブロック図である。
【図９】図５に示した第２保存映像処理部を説明するための第２実施形態のブロック図である。
【図１０Ａ】ディスプレイパネル、原本映像、メイン映像、サブ映像を説明するための参考図である。
【図１０Ｂ】ディスプレイパネル、原本映像、メイン映像、サブ映像を説明するための参考図である。
【図１１】本発明による映像表示及び保存方法を概括的に説明するためのフローチャートである。
【図１２】本発明による映像表示及び保存方法を細部的に説明するための第１実施形態のフローチャートである。
【図１３】本発明による映像表示及び保存方法を細部的に説明するための第２実施形態のフローチャートである。
【図１】
2009529283.tif 000003
【図２】
2009529283.tif 000004
【図３】
2009529283.tif 000005
【図４】
2009529283.tif 000006
【図５】
2009529283.tif 000007
【図６】
2009529283.tif 000008
【図７】
2009529283.tif 000009
【図８】
2009529283.tif 000010
【図９】
2009529283.tif 000011
【図１０Ａ】
2009529283.tif 000012
【図１０Ｂ】
2009529283.tif 000013
【図１１】
2009529283.tif 000014
【図１２】
2009529283.tif 000015
【図１３】
2009529283.tif 000016
【国際調査報告】
2009529283.tif 000017
2009529283.tif 000018